(57)【特許請求の範囲】
【請求項１】
給湯装置であって、
給水経路と熱交換器と出湯経路とを連設してなる水経路と、該水経路に設けられた水流検出手段と水圧受動部と、
前記熱交換器を加熱するバーナと、該バーナへのガス供給路と、該ガス供給路に設けられた電磁弁と前記水圧受動部により開閉駆動される水圧応動弁と、
前記電磁弁の不良状態を報知する報知手段と、
前記バーナに点火するための点火手段と、該バーナの炎の有無を検出する炎検出手段と、
前記バーナの燃焼を許可する湯モードと該バーナの燃焼を禁止する水モードとを切り替える湯水切替スイッチと、
停止状態から水モードが設定されて使用開始されたとき前記水流検出手段からの水流検出信号を受けて前記点火手段と前記炎検出手段とを作動させ、該炎検出手段からの炎検出信号を受けて前記報知手段を作動させる制御手段とを具備することを特徴とする給湯装置。
【請求項２】
給湯装置であって、
給水経路と熱交換器と出湯経路とを連設してなる水経路と、該水経路に設けられた水流検出手段と水圧受動部と、
前記熱交換器を加熱するバーナと、該バーナへのガス供給路と、該ガス供給路に設けられた電磁弁と前記水圧受動部により開閉駆動される水圧応動弁と、
前記電磁弁の不良状態を報知する報知手段と、
前記バーナに点火するための点火手段と、該バーナの炎の有無を検出する炎検出手段と、
前記バーナの燃焼を許可する湯モードと該バーナの燃焼を禁止する水モードとを切り替える湯水切替スイッチと、
湯モードから水モードへ切り替えられたとき前記炎検出手段を作動させ、該炎検出手段からの炎検出信号を受けて前記報知手段を作動させる制御手段とを具備することを特徴とする給湯装置。
【請求項３】
給湯装置であって、
給水経路と熱交換器と出湯経路とを連設してなる水経路と、該水経路に設けられた水流検出手段と水圧受動部と止水弁と、
前記熱交換器を加熱するバーナと、該バーナへのガス供給路と、該ガス供給路に設けられた電磁弁と前記水圧受動部により開閉駆動される水圧応動弁と、
前記バーナに点火するための点火手段と、該バーナの炎の有無を検出する炎検出手段と、
前記バーナの燃焼を許可する湯モードと該バーナの燃焼を禁止する水モードとを切り替える湯水切替スイッチと、
停止状態から水モードが設定されて使用開始されたとき前記水流検出手段からの水流検出信号を受けて前記点火手段と前記炎検出手段とを作動させ、該炎検出手段からの炎検出信号を受けて前記止水弁を閉弁させる制御手段とを具備することを特徴とする給湯装置。
【請求項４】
給湯装置であって、
給水経路と熱交換器と出湯経路とを連設してなる水経路と、該水経路に設けられた水流検出手段と水圧受動部と止水弁と、
前記熱交換器を加熱するバーナと、該バーナへのガス供給路と、該ガス供給路に設けられた電磁弁と前記水圧受動部により開閉駆動される水圧応動弁と、
前記バーナに点火するための点火手段と、該バーナの炎の有無を検出する炎検出手段と、
前記バーナの燃焼を許可する湯モードと該バーナの燃焼を禁止する水モードとを切り替える湯水切替スイッチと、
湯モードから水モードへ切り替えられたとき前記炎検出手段を作動させ、該炎検出手段からの炎検出信号を受けて前記止水弁を閉弁させる制御手段とを具備することを特徴とする給湯装置。
【請求項５】
前記点火手段を所定時間作動させ、前記炎検出手段を該所定時間と同等時間作動させる前記制御手段を具備することを特徴とする請求項１或いは請求項３記載の給湯装置。
【請求項６】
湯モードから水モードへの切替後、前記炎検出手段を所定時間作動させる前記制御手段を具備することを特徴とする請求項２或いは請求項４記載の給湯装置。
【発明の詳細な説明】
【０００１】
【発明の属する技術分野】
本発明は給湯装置、具体的には燃焼装置の燃焼を制御する電磁弁の不良を使用者に報知する制御手段を有する給湯装置に関する。
【０００２】
【従来の技術】
従来、給水経路と熱交換器と出湯経路とを連設してなる水経路と、該水経路に設けられた水流検出手段と水圧受動部と、前記熱交換器を加熱するバーナと、該バーナへのガス供給路と、該ガス供給路に設けられた電磁弁と前記水圧受動部により開閉駆動される水圧応動弁と、前記バーナに点火するための点火手段と、該バーナの炎の有無を検出する炎検出手段と、前記バーナの燃焼を許可する湯モードと該バーナの燃焼を禁止する水モードとを切り替える湯水切替スイッチとを有する給湯装置、いわゆる小型瞬間湯沸器が知られている。
【０００３】
この給湯装置を停止状態から湯モードで使用開始すると、水経路に水が流れて水圧応動弁が開き、同時に電磁弁が開いてバーナにガスが供給されて、点火手段によりそのガスが点火され、燃焼状態のバーナにより加熱された熱交換器を通じて水は昇温されて使用者は湯を得ることができる。
【０００４】
給湯装置を停止状態から水モードで使用開始すると、水経路に水が流れて水圧応動弁が開くが電磁弁は閉のままであり、バーナにガスが流れず水は加熱されることがないので使用者は水を得ることができる。
【０００５】
給湯装置を水モードから湯モードへ切り替えて使用すると、水モード時に閉じていた電磁弁が開きバーナにガスが供給されて、点火手段によりそのガスが点火され、燃焼状態のバーナにより加熱された熱交換器を通じて水は昇温されて使用者は湯を得ることができる。
【０００６】
給湯装置を湯モードから水モードへ切替えて使用すると、湯モード時に開いていた電磁弁が閉じバーナに供給されていたガスが遮断され、バーナにガスが流れず水は加熱されることがないので使用者は水を得ることができる。
【０００７】
かかる給湯装置において、ゴミのかみこみ等の原因により電磁弁が完全に閉じなくなることが考えられる。
【０００８】
電磁弁が完全に閉じない状態のままで給湯装置を停止状態から水モードで使用開始すると、水経路に水が流れて水圧応動弁が開きバーナにガスが流れる。このとき点火手段は作動せずガスは点火されないままなので使用者がこのガスの流れに気づかず、したがって電磁弁が完全に閉じないという事態に気づかないという不都合がある。
【０００９】
電磁弁が完全に閉じない状態のままで給湯装置を湯モードから水モードへ切替えて使用すると、湯モード時にバーナに供給されていたガスが水モード切替後も完全には遮断されず該バーナにより熱交換器が加熱され続ける。このとき水モードにもかかわらず今まで湯モードで使用していたこともあって昇温した湯が出湯経路より供給され続けても使用者は給湯装置の不良とは容易に気づかない。また水モードに切替えて長時間が経過後に昇温した湯が出湯経路より供給され続けることで体感的に給湯装置の不良と気づくが、その不良が電磁弁が完全に閉じないことによるとは気づかないという不都合がある。
【００１０】
【発明が解決しようとする課題】
前述のような不都合を解消するために、本発明はガス供給路の電磁弁が完全に閉じるか否かを検出し、該電磁弁が完全に閉じない場合には電磁弁の不良を使用者に報知する制御手段を有する給湯装置を提供することを目的とする。
【００１１】
【課題を解決するための手段】
前記課題を解決するための本発明の第一の態様の給湯装置は、前記給湯装置に電磁弁の不良を使用者に報知する報知手段と、給湯装置が停止状態から水モード設定されて使用開始されたときに水流検出手段からの水流検出信号を受けて点火手段と炎検出手段とを作動させ、該炎検出手段からの炎検出信号を受けて前記報知手段を作動させる制御手段とを具備することを特徴とする。
【００１２】
前記課題を解決するための本発明の第二の態様の給湯装置は、前記給湯装置に水経路に設けられ該水経路への給水を止める止水弁と、給湯装置が停止状態から水モードが設定されて使用開始されたときに水流検出手段からの水流検出信号を受けて点火手段と炎検出手段とを作動させ、該炎検出手段からの炎検出信号を受けて前記止水弁を閉弁させる制御手段とを具備することを特徴とする。
【００１３】
前記実施態様において停止状態から水モードで使用開始すると水経路に水が流れて水圧応動弁が開き、水流検出手段が水流を検出する。この水流検出信号を受けて制御手段が点火手段と炎検出手段とを作動させる。電磁弁が完全に閉じていないとバーナにガスが漏れてこの漏れガスが前記点火手段により点火されて炎が生じ、さらに前記炎検出手段がこの炎を検出する。この炎検出信号を受けて制御手段が報知手段を作動させ、或いは止水弁を閉弁させ水流を停止するので、使用者はこの報知手段の作動或いは水流停止により電磁弁が完全に閉じないという事態に気づく。また、止水弁を閉弁させる場合、水流停止に伴い水圧受動部への圧力がなくなり水圧応動弁が閉じてバーナへのガス流入が遮断される。
【００１４】
前記課題を解決するための本発明の第三の態様の給湯装置は、前記給湯装置に電磁弁の不良を使用者に報知する報知手段と、給湯装置が湯モードから水モードへ切り替えられて使用されたときに炎検出手段を作動させ、該炎検出手段からの炎検出信号を受けて前記報知手段を作動させる制御手段とを具備することを特徴とする。
【００１５】
前記課題を解決するための本発明の第四の態様の給湯装置は、前記給湯装置に水経路に設けられ該水経路への給水を止める止水弁と、給湯装置が湯モードから水モードへ切り替えられて使用されたときに炎検出手段を作動させ、該炎検出手段からの炎検出信号を受けて前記止水弁を閉弁させる制御手段とを具備することを特徴とする。
【００１６】
前記実施態様において湯モードから水モードに切り替えて使用すると、制御手段が炎検出手段を作動させる。電磁弁が完全に閉じないと水モードにもかかわらずバーナにガスが流れるためバーナに炎が残り、この炎を前記炎検出手段が検出する。この炎検出信号を受けて制御手段が報知手段を作動させ、或いは止水弁を閉弁させ水流を停止するので、使用者はこの報知手段の作動、或いは水流停止により電磁弁が完全に閉じないという事態に気づく。また、止水弁を閉弁させる場合、水流停止に伴い水圧受動部への水流圧力がなくなり水圧応動弁が閉じてバーナへのガス流入が遮断される。
【００１７】
なお、水モードで使用しているとき常に炎検出手段を作動状態、すなわち通電状態にしておくと電力を多く必要とし、特に電源として電池を有する場合は、該電池の寿命が低下する。そこで、本発明の第一及び第三の態様の給湯装置において制御手段が点火手段を所定時間作動させ、炎検出手段を該所定時間と同等時間だけ作動させると、該炎検出手段の通電時間が短くなり電力消費量を節約できる。所定時間と同等時間とは、該所定時間と比較して同等或いはわずかに長い時間という意味である。本発明の第二及び第四の態様の給湯装置において制御手段が炎検出手段を湯モードから水モードへの切替後、所定時間だけ作動させると、該炎検出手段の通電時間が短くなり電力消費量を節約できる。
【００１８】
【発明の実施の形態】
本発明の実施形態を図１乃至図４を用いて説明する。図１は本実施形態における給湯装置の構造説明図であり、図２は給湯装置の制御装置を示すブロック図であり、図３は給湯装置の作動のメインルーチンを示すフローチャートであり、図４は給湯装置の作動のサブルーチンを示すフローチャートである。
【００１９】
図１示の本実施形態の給湯装置において、１は水或いは湯が流れる水経路、２は水経路１を通過する水を昇温させるバーナ、３はバーナ２に燃料ガスを供給するガス供給路、４は給湯装置の運転を制御する制御装置である。また、５は放電電極を介してバーナ２に点火する点火手段であるイグナイタ、６はバーナ２の燃焼炎を検出する炎検出手段であるフレームロッド、７はバーナ２の燃焼状態検出手段としての熱電対、８は運転開始及び運転停止時に押圧操作される操作スイッチ、９及び１０は電磁弁の不良を使用者に報知する報知手段としてのブザー及びランプである。
【００２０】
水経路１は、給水経路１１、熱交換器１２、出湯経路１３が連接されてなる。給水経路１１には止水弁１４、水圧受動部１５、水量調節弁１６、水流検出手段としての水流検出装置１７が設けられている。止水弁１４は、水経路１への給水或いは止水のために制御装置４により開閉駆動される。水圧受動部１５は水経路１の水流圧力に応じて駆動されるものである。水量調節弁１６は温調つまみ１８の操作により給水経路１１の開口度合いを制御して水量を変更するものである。水流検出装置１７は、水経路１の水流の有無を検出する。なお、水流検出装置１７は水流スイッチ１９を有し、水流スイッチ１９は水圧受動部１５が作動するとＯＮとなり、作動しないとＯＦＦとなる。熱交換器１２は、フィン２０を備えてバーナ２の上方に配置され、バーナ２の燃焼熱により内部を通過する水を昇温させる。出湯経路１３はフレキシブル管で形成されており、湯または水をシャワーヘッド２１を介して吐出する。２２はシャワーヘッド２１から吐出する湯または水の形態をシャワー状とストレート状とに切り替える切替スイッチである。また、２３はバーナ２の燃焼を許可する湯モードと燃焼を禁止する水モードとを切り替える湯水切替スイッチである。
【００２１】
ガス供給路３は、電磁弁２４、水圧応動弁２５、ガスガバナ弁２６、ガス量調節弁２７を備えている。電磁弁２４は、ガス供給路へのガス供給或いはガス供給停止のために制御装置４により開閉駆動される。水圧応動弁２５は、水圧受動部１５と一体的に形成されており、水圧受動部１５が水流圧力により駆動されるとそれに連動して開弁する。ガスガバナ弁２６は、ガス圧を一定にするものである。ガス量調節弁２７は前記温調つまみ１８に連結され、温調つまみ１８の操作によりガス供給路３の開口度合いを制御してガス量を調節するものである。温調つまみ１８を高温側へ操作するほど水量は減少し、ガス量は増加する。２８は制御装置４をはじめ止水弁１４、電磁弁２４等の駆動用電源としての電池である。
【００２２】
制御装置４は、図２示のようにマイクロコンピュータ２９、止水弁１４を開閉駆動する止水弁駆動回路３０、電磁弁２４を開閉駆動する電磁弁駆動回路３１、イグナイタ５を作動させるイグナイタ回路３２、フレームロッド６を作動させるフレームロッド回路３３、熱電対７の起電力を増幅させる増幅回路３４、ブザー９及びランプ１０を作動させる報知手段回路３５等を備えている。
【００２３】
図２示のようにマイクロコンピュータ２９は、運転制御部３６、水制御部３７、燃焼制御部３８を備えている。
【００２４】
運転制御部３６は、操作スイッチ８のＯＮ／ＯＦＦを判別して止水弁１４を開閉駆動するように水制御部３７へ指示を与える。また、水流スイッチ１９のＯＮ／ＯＦＦ及び湯水切替スイッチ２３のＯＮ（水モード）／ＯＦＦ（湯モード）を判別し、イグナイタ５、フレームロッド６、ブザー９、ランプ１０、電磁弁２４等の作動を制御するように燃焼制御部３８へ指示を与える。
【００２５】
水制御部３７は、運転制御部３６の指示により操作スイッチ８がＯＮのとき止水弁駆動回路３０に通電して止水弁１４を開弁させ、ＯＦＦのとき止水弁駆動回路３０への通電を停止して止水弁１４を閉弁させる。また、後述するように電磁弁２４が完全に閉じないと判断した燃焼制御部３８の指示により止水弁駆動回路３０への通電を停止して止水弁１４を閉弁させる。
【００２６】
燃焼制御部３８は、フレームロッド回路３３の出力にもとづいて炎の有無を検知する炎検知部３９と、増幅回路３４の出力にもとづいて熱電対７の起電力からバーナ２の燃焼状態を検知する燃焼状態検知部４０と、イグナイタ５やフレームロッド６の作動開始時からの経過時間を測定するタイマ４１とを備えている。
【００２７】
給湯装置が湯モードで使用されるとき、すなわちバーナ２が燃焼状態にあるべきとき、炎検知部３９によって炎が検知されなかった場合や、燃焼状態検知部４０によって熱電対７の起電力が所定値未満と検知された場合には、燃焼制御部３８は電磁弁駆動回路３１に通電して電磁弁２４を閉弁させ、バーナ２へのガス供給を止める。また、バーナ２の燃焼が正常に行われているときでもイグナイタ５の作動開始時から所定時間（消し忘れ時間）が経過した場合には、消し忘れと判断して直ちに電磁弁駆動回路３１への通電を停止して電磁弁２４を閉弁させ、バーナ２へのガス供給を止めて燃焼を停止させる。
【００２８】
給湯装置が水モードで使用開始されると、水流スイッチ１９がＯＮで、湯水切替スイッチ２３がＯＮであると判別した運転制御部３６の指示を受け、燃焼制御部３８はイグナイタ回路３２及びフレームロッド回路３３に通電してイグナイタ５及びフレームロッド６を同時に作動開始させる。その作動開始時から所定時間経過後にイグナイタ回路３２への通電を停止してイグナイタ５を作動終了させ、該所定時間よりわずかに長い時間経過後にフレームロッド回路３３への通電を停止してフレームロッド６を作動終了させる。燃焼が禁止される水モードにもかかわらず炎が検出された場合は電磁弁２４が完全に閉じないと判断し、報知手段回路３５に通電してブザー９及びランプ１０を作動させ、止水弁１４を閉弁させるように水制御部３７へ指示を与える。
【００２９】
給湯装置が湯モードで使用されている途中に水モードへ切り替えて継続使用されると、水流スイッチ１９がＯＮで、湯水切替スイッチ２３がＯＦＦからＯＮへ切り替えられたと判別した運転制御部３６の指示を受け、燃焼制御部３８は電磁弁駆動回路３１への通電を停止して電磁弁２４を閉弁させ、フレームロッド回路３３に通電してフレームロッド６を作動開始させ、その作動開始時から所定時間後にフレームロッド回路３３への通電を停止してフレームロッド６を作動終了させる。燃焼が禁止される水モードにもかかわらず炎が検出された場合は電磁弁２４が完全に閉じないと判断し、報知手段回路３５に通電してブザー９及びランプ１０を作動させ、止水弁１４を閉弁させるように水制御部３７へ指示を与える。
【００３０】
次に給湯装置の作動を図３及び図４示のフローチャートを用いて説明する。
【００３１】
まず、図３（ａ）を用いて給湯装置の作動のメインルーチンを説明する。
【００３２】
操作スイッチをＯＮすると（ＳＴＥＰ１）、運転制御部３６の指示により水制御部３７が止水弁１４を開弁する（ＳＴＥＰ２）。運転制御部３６が水経路１の水流の有無による水流スイッチ１９のＯＮ／ＯＦＦを判別し（ＳＴＥＰ３）、さらに湯水切替スイッチ２３のＯＮ／ＯＦＦを判別する（ＳＴＥＰ４）。湯水切替スイッチ２３がＯＮ（水モード）のときは後述する第１サブルーチンへ進み、ＯＦＦ（湯モード）のときはＳＴＥＰ５へ進む。
【００３３】
運転制御部３６の指示を受けた燃焼制御部３８がイグナイタ５及びフレームロッド６を作動させ、電磁弁２４を開弁させる（ＳＴＥＰ５）。
【００３４】
次にイグナイタ作動開始時から所定時間が経過したかをタイマ４１が判別し（ＳＴＥＰ６）、該所定時間経過後、燃焼制御部３８がイグナイタ５による点火作動を停止させる（ＳＴＥＰ７）。
【００３５】
続いて、炎検知部３９がフレームロッド６による炎検出の有無を判別し（ＳＴＥＰ８）、炎が検出された場合はタイマ４１がフレームロッドＯＮ時から前記所定時間よりわずかに長い時間経過したかを判別し（ＳＴＥＰ９）、該時間経過後、燃焼制御部３８がフレームロッド６を作動終了させる（ＳＴＥＰ１０）。さらに燃焼状態検知部４０が熱電対７の起電力が所定値以上であるかを判別し（ＳＴＥＰ１１）、該所定値以上であれば湯モードでの使用を継続する。湯モードで使用中に水モードへ切り替えが行われるか否かを運転制御部が判別し（ＳＴＥＰ１２）、切替が行われた場合には後述する第２サブルーチンへ、切替が行われない場合はＳＴＥＰ１３へ進む。
【００３６】
イグナイタ作動開始時から消し忘れ時間が経過したかをタイマ４１が判別し（ＳＴＥＰ１３）、該時間経過後に燃焼制御部３８が電磁弁２４を閉弁させ（ＳＴＥＰ１４）、これによりバーナ２の炎が消される。
【００３７】
なお、ＳＴＥＰ８で炎が検出されず点火失敗であると判断された場合及びＳＴＥＰ１１で起電力が前記所定値未満となり失火或いは不完全燃焼であると判断した場合には、燃焼制御部３８は電磁弁２４を閉弁させる（ＳＴＥＰ１４）。
【００３８】
なお、使用を停止させるときは図３（ｂ）示のように操作スイッチ８をＯＦＦすると（ＳＴＥＰ１５）、運転制御部３６の指示により水制御部３７が止水弁１４を閉弁させ（ＳＴＥＰ１６）、燃焼制御部３８が電磁弁２４を閉弁させる（ＳＴＥＰ１７）。
【００３９】
本発明の給湯装置における制御装置４の作動の特徴は前記第１サブルーチンと前記第２サブルーチンにある。これらのサブルーチンについて図４（ａ）及び図４（ｂ）を用いて説明する。
【００４０】
まず第１サブルーチンについて図４（ａ）を用いて説明する。給湯装置が水モードで使用開始されるとき、水流スイッチ１９がＯＮで湯水切替スイッチ２３がＯＮ（水モード）であると判別した運転制御部３６の指示により、燃焼制御部３８はイグナイタ５とフレームロッド６とを作動開始させる（ＳＴＥＰ１８）。イグナイタ５の作動開始時から所定時間経過したかをタイマ４１が判別し（ＳＴＥＰ１９）、燃焼制御部３８が該所定時間経過後にイグナイタ５を作動終了させる（ＳＴＥＰ２０）。炎検出部３９が炎の有無を判別し（ＳＴＥＰ２１）、炎が無い場合には前記所定時間よりわずかに長い時間がフレームロッド６の使用開始時から経過したかをタイマ４１が判別し（ＳＴＥＰ２２）、燃焼制御部３８が該時間経過後にフレームロッド６を作動終了させる（ＳＴＥＰ２３）。ＳＴＥＰ２１において炎が検出された場合は、燃焼制御部３８が電磁弁２４が完全に閉じないと判断し、ブザー９及びランプ１０を作動させ、水制御部３７を介して止水弁１４を閉弁させる（ＳＴＥＰ２４）。
【００４１】
前記第１サブルーチン中のＳＴＥＰ２３でイグナイタ５の作動時間よりわずかに長い所定時間だけフレームロッド６を作動させることによって、常時作動させる場合よりもフレームロッド回路３３への通電量が節約でき、電池２８の寿命を著しく減らすことは無い。なお、イグナイタ５による点火炎を検出するのに十分な限り、通電量をより節約するためにフレームロッド６の作動時間を短縮し、イグナイタ５の作動時間と同等にしてもよい。これはメインルーチン中のＳＴＥＰ１０の場合も同様である。
【００４２】
第２サブルーチンについて図４（ｂ）を用いて説明する。給湯装置が湯モードで使用されている途中に水モードへ切り替えて継続使用されるとき、水流スイッチ１９がＯＮで湯水切替スイッチ２３がＯＦＦからＯＮへ切り替えられたと判別した運転制御部３６の指示により、燃焼制御部３８に指示を出し、電磁弁２４を閉弁させ（ＳＴＥＰ２５）、フレームロッド６を作動開始させる（ＳＴＥＰ２６）。炎検出部３９が炎の有無を判別し（ＳＴＥＰ２７）、炎が無い場合にはフレームロッド作動開始時から所定時間が経過したかをタイマ４１が判別し（ＳＴＥＰ２８）、燃焼制御部３８は該所定時間経過後にフレームロッド６を作動終了させる（ＳＴＥＰ２９）。ＳＴＥＰ２７において炎が検出された場合はごみのかみこみ等により電磁弁２４が完全に閉じていない事態が発生していると判断し、燃焼制御部３８はブザー９及びランプ１０を作動させ、水制御部３７を介して止水弁１４を閉弁させる（ＳＴＥＰ３０）。
【００４３】
前記第２サブルーチン中のＳＴＥＰ２９で所定時間だけフレームロッド６を作動させることによって、常時作動させる場合よりもフレームロッド回路３３への通電量が節約でき、電池２８の寿命を著しく減らすことは無い。なお、バーナ２に残っている炎を検出するのに十分な限り、通電量をより節約するためにフレームロッド６の作動時間を短縮してもよい。
【００４４】
なお、上述のＳＴＥＰ２４及びＳＴＥＰ３０において電磁弁２４が完全に閉じない事態を使用者に報知するために、燃焼制御部３８が報知手段としてのブザー９及びランプ１０を作動させ、かつ水制御部３７を介して止水弁１４を閉弁させるが、単に燃焼制御部３８が報知手段を作動させたり、単に燃焼制御部３８が水制御部３７を介して止水弁１４を閉弁させるようにしてもよい。
【００４５】
本実施形態の給湯装置では開弁状態で通電され続ける止水弁を用いたが、駆動時のみモータに通電されて開閉されるモータ駆動式止水弁を用いてもよい。
【００４６】
また、本実施形態の給湯装置における前記報知手段としてブザー９及びランプ１０のような聴覚的報知手段、視覚的報知手段の両方を組み合わせて用いたが、どちらか一方のみを選択して用いるようにしてもよい。
【００４７】
本実施形態の給湯装置が水モードで使用されるとき、電磁弁２４が完全に閉じないと制御装置４が判断すると報知手段であるブザー９及びランプ１０を作動させ、止水弁１４を閉弁させ水流を停止する。使用者はこの報知手段の作動及び水流停止により電磁弁２４が完全に閉じないという事態に気づく。また、止水弁１４を閉弁させると、水流停止に伴い水圧受動部１５への水流圧力がなくなり水圧応動弁２５が閉じてバーナ２へのガス流入が遮断される。
【図面の簡単な説明】
【図１】本発明実施形態の給湯装置の構造説明図
【図２】給湯装置の制御装置を示すブロック図
【図３】給湯装置の作動のメインルーチンを示すフローチャート
【図４】給湯装置の作動のサブルーチンを示すフローチャート
【符号の説明】
１・・水経路、２・・バーナ、３・・ガス供給路、４・・制御装置（制御手段）、５・・イグナイタ（点火手段）、６・・フレームロッド（炎検出手段）、９、１０・・ブザー、ランプ（報知手段）、１１・・給水経路、１２・・熱交換器、１３・・出湯経路、１４・・止水弁、１５・・水圧受動部、１７、１９・・水流検出装置、水流スイッチ（水流検出手段）、２３・・湯水切替スイッチ、２４・・電磁弁、２５・・水圧応動弁
【図１】
0003701439.tif 000002
【図２】
0003701439.tif 000003
【図３】
0003701439.tif 000004
【図４】
0003701439.tif 000005